(57)【要約】【課題】  レンズ補助部品を取り付けるためのバヨネット構造を備えるレンズ鏡筒における外観上の見栄えを改善し、かつ標準のレンズキャップを取着することを可能にしたレンズ補助部品の取付装置を提供する。【解決手段】  レンズ鏡筒１のフード取付環１３は内周面の円周方向複数箇所に内バヨネット片１３４を備え、所要形状の開口窓２１を有してフード取付環１３とほぼ同じ外径寸法に形成されたレンズフード２の円周方向複数箇所にはフード取付環１３の内部に挿入可能な突出部２４に外バヨネット片２５を備える。レンス鏡筒１の内バヨネット片１３４が外部に露呈されることはなく外観上の見栄えを改善する。レンズフード２はフード取付環１３とほぼ同じ外径であるので標準のレンズキャップ３を取着することが可能である。【選択図】  図６
2008003344.tif 000002
【特許請求の範囲】
【請求項１】
レンズ鏡筒の先端部に、当該先端部とほぼ同じ外径寸法のレンズ補助部品を取り付けるための取付装置であって、前記レンズ鏡筒の先端部の内周面に内径方向に突出形成された内バヨネット片と、前記レンズ補助部品の一部に設けられ、前記レンズ鏡筒の先端部内に内挿されて前記内バヨネット片と係合する外径方向に突出形成された外バヨネット片とを備えることを特徴とするレンズ補助部品の取付装置。
【請求項２】
前記レンズ鏡筒の先端部はフード取付環として構成され、前記レンズ補助部品は前記フード取付環に取付可能なレンズフードであることを特徴とする請求項１に記載のレンズ補助部品の取付装置。
【請求項３】
前記フード取付環は内周面の円周方向複数箇所に前記内バヨネット片を備え、前記レンズフードは所要形状の開口窓を有して前記フード取付環とほぼ同じ外径寸法に形成され、円周方向複数箇所に設けられて前記フード取付環の内部に挿入可能な突出部に設けられた前記外バヨネット片とを備えることを特徴とする請求項２に記載のレンズ補助部品の取付装置。
【請求項４】
前記フード取付環の外周面に取着可能なレンズキャップを備え、前記レンズキャップの光軸方向の長さは前記レンズフードの前記周縁部の光軸方向の長さよりも長く形成されていることを特徴とする請求項３に記載のレンズ補助部品の取付装置。
【請求項５】
前記フード取付環の内周にはレンズフィルタが装着可能なレンズフィルタスクリュー溝を有していることを特徴とする請求項２ないし４のいずれかに記載のレンズ補助部品の取付装置。
【請求項６】
前記レンズフードの内周にはフードフィルタが装着可能なレンズフィルタスクリュー溝を有していることを特徴とする請求項２ないし５のいずれかに記載のレンズ補助部品の取付装置。
【請求項７】
前記フード取付環の円周方向の少なくとも一部にはクリックボールが弾性的に支持されており、前記レンズフードの円周方向の少なくとも一部には前記クリックボールが弾性的に嵌合する嵌合溝を備えていることを特徴とする請求項２ないし６のいずれかに記載のレンズ補助部品の取付装置。
【発明の詳細な説明】
【技術分野】
【０００１】
本発明はカメラのレンズフードやフィルタ等のレンズ補助部品をレンズ鏡筒に取り付けるための取付装置に関するものである。
【背景技術】
【０００２】
カメラのレンズ鏡筒の先端にレンズフードやフィルタ等のレンズ補助部品を取り付けるための装置として、従来からスクリュー構造とバヨネット構造が利用されている。スクリュー構造は、レンズ鏡筒の先端部の内周面に設けたスクリュー溝とレンズフードやフィルタの取付部の外周面に設けたスクリュー溝とを螺合させることによって取り付けている。このスクリュー構造は両者のスクリュー溝を螺合させたときにレンズ鏡筒に対するレンズ補助部品の光軸回り角度位置を特定させることが難しいため、当該角度位置に規制を受けない構造のレンズフードやフィルタに利用されている。
【０００３】
一方、バヨネット構造はレンズ鏡筒に対するレンズ補助部品の光軸回り角度位置を特定させることが可能であるため、前縁部が花弁型をしたレンズフードや円形以外の開口窓を有するレンズフードに利用されている。このバヨネット構造は、例えば、特許文献１に示されるように、レンズ鏡筒の先端の外周面に設けたバヨネット片と、レンズフードの後端の内周面に設けたバヨネット片とが互いにレンズ鏡筒の光軸回り方向に重ならないようにして両バヨネット片を光軸方向に嵌合させた上で、所定の小角度だけ光軸回りに回動させることにより両バネヨット片を係合させるものである。両バヨネット片は円周方向の複数箇所に突状片として設けられており、これらバヨネット片の円周方向の間隔や長さを相違させることによって両バヨネット片の嵌合位置関係を特定することができ、レンズフードを所要の光軸回りの回動位置に固定した状態で取り付けることが可能である。
【特許文献１】特開平６−２６５７６７号公報
【発明の開示】
【発明が解決しようとする課題】
【０００４】
特許文献１のバヨネット構造に示されるように、従来のバヨネット構造はレンズ鏡筒の先端部の外周面と、レンズフードの取付部の内周面にそれぞれバヨネット片を設けている。このため、レンズフードを取り付けていない状態ではレンズ鏡筒の先端部の外周にバヨネット片が露出された状態にあり、レンズ鏡筒ないしこれを装着したカメラの外観上の見栄えが低下してしまう。また、先端部の外周にバヨネット片が外径方向に突出されることにより、先端部におけるレンズの設計に制約を受け、特に先端部にレンズキャップを取着するための設計が難しくなる。特に近年では小型、薄型のカメラにおいて、円形以外の開口窓、通常では撮影画面形状に対応した矩形の開口窓を設けた薄型のレンズフードが提供されているが、このようなレンズフードをバヨネット構造でレンズ鏡筒に取り付けた場合にはレンズ鏡筒の先端部の外径寸法がレンズフードによって増大してしまうため、レンズ鏡筒の先端部に取着するように設計された標準のレンズキャップを取着することができなってしまう。レンズフードを取り付けた状態でレンズキャップを取着する際には、レンズフードの外径寸法に対応した大きめのレンズキャップを用意する必要があり、部品点数が増大する要因にもなる。
【０００５】
本発明の目的は、レンズ補助部品を取り付けるためのバヨネット構造を備えるレンズ鏡筒における外観上の見栄えを改善したレンズ補助部品の取付装置を提供するものである。また、本発明の他の目的は、レンズ鏡筒にレンズフードを取り付けた状態でもレンズ鏡筒の径寸法の増大を回避し、標準のレンズキャップを取着することを可能にしたレンズ補助部品の取付装置を提供するものである。
【課題を解決するための手段】
【０００６】
本発明は、レンズ鏡筒の先端部に、当該先端部とほぼ同じ外径寸法のレンズ補助部品を取り付けるための取付装置であって、レンズ鏡筒の先端部の内周面に内径方向に突出形成された内バヨネット片と、レンズ補助部品の一部に設けられ、レンズ鏡筒の先端部内に内挿されて前記内バヨネット片と係合する外径方向に突出形成された外バヨネット片とを備えることを特徴とする。ここで、本発明は、レンズ鏡筒の先端部はフード取付環として構成され、レンズ補助部品はフード取付環に取付可能なレンズフードであることを特徴とする。すなわち、フード取付環は内周面の円周方向複数箇所に内バヨネット片を備え、レンズフードは所要形状の開口窓を有してフード取付環とほぼ同じ外径寸法に形成され、円周方向複数箇所に設けられてフード取付環の内部に挿入可能な突出部に設けられた外バヨネット片とを備える。
【発明の効果】
【０００７】
本発明によれば、レンズフードを取り付けるためにフード取付環に設けられる内バヨネット片はフード取付環の内周面に設けられているので、当該バヨネット片は外部に露呈されることはなく、レンズ鏡筒における外観上の見栄えを改善する。同時にフード取付環の設計上の制約が緩和され、レンズキャップを取着するための設計が容易になる。また、レンズフードはフード取付環とほぼ同じ外径であるので、フード取付環にレンズフードを取り付けた状態でもレンズ鏡筒の径寸法が増大することはなく、いずれの場合でもレンズに附属している標準のレンズキャップを取着することができ、部品点数が増大することもない。
【発明を実施するための最良の形態】
【０００８】
本発明において、フード取付環の外周面に取着可能なレンズキャップを備え、レンズキャップの光軸方向の長さをレンズフードの周縁部の光軸方向の長さよりも長く形成することで、フード取付環にレンズフードを取り付けた状態でも同じレンズキャップを取着することが可能になる。
【０００９】
本発明において、フード取付環の内周にはレンズフィルタが装着可能なレンズフィルタスクリュー溝を有すること、あるいはレンズフードの内周にはフードフィルタが装着可能なレンズフィルタスクリュー溝を有することにより、レンズフードを取り付けていないときにはフード取付環へのレンズフィルタの装着が可能であり、レンズフードを取り付けているときにはレンズフードへのフードフィルタの装着が可能になる。
【００１０】
本発明において、フード取付環の円周方向の少なくとも一部にはクリックボールが弾性的に支持されており、レンズフードの円周方向の少なくとも一部にはクリックボールが弾性的に嵌合する嵌合溝を備えていることにより、レンズフードを所定位置に確実に取り付けることが可能になる。
【実施例１】
【００１１】
次に、本発明の実施例を図面を参照して説明する。図１は本発明をレンズ交換式デジタルカメラのレンズのレンズ鏡筒１に適用した実施例の概略外観図である。レンズ鏡筒１は図には表れないが後端部にカメラボディのレンズマウントに着脱可能なレンズバヨネット構造が設けられており、当該カメラボディに対して着脱可能とされているが、このレンズバヨネット構造は既に広く知られている従来の構造と同じであるのでここでは説明は省略する。また、前記レンズ鏡筒１の周面には図には表れないズーム操作環と共にフォーカス操作環１１が配設されており、フォーカス操作環１１を手操作にて光軸回りに回動することでレンズのフォーカシング、すなわち焦点合わせを行うようになっている。前記レンズ鏡筒１の先端部にはレンズ補助部品としてのレンズフード２を取り付けるためのバヨネット構造が設けられている。この実施例では前記レンズフード２はレンズ鏡筒の１先端部の外径とほぼ同じ外径寸法をした円形の浅皿状に形成されており、その正面に撮影画面形状に対応した矩形の開口窓２１が開口されている。さらに、前記レンズ鏡筒１の先端部には前記レンズフード２よりも若干外径寸法の大きな円形のレンズキャップ３が着脱可能に設けられている。
【００１２】
図２は前記レンズ鏡筒１の先端部領域、レンズフード２、レンズキャップ３を光軸方向に沿って切断した要部の拡大断面図である。レンズ鏡筒１の内部に設けられている固定筒１２の先端にはフード取付環１３がネジ１２１により固定されている。前記固定筒１２の内部には固定レンズＬ１が取着されており、前記フード取付環１３の前面には内径に沿って環状の飾り環１６が取着され、前記ネジ１２１や前記固定レンズＬ１の周辺部を覆い隠している。また、前記固定筒１２の内周部には可動レンズＬ２を支持したレンズ支持枠１４が光軸方向に移動可能に配設され、また前記固定筒１２の外周部にはフォーカスカム環１５が光軸回りに回動可能に配設されている。このフォーカスカム環１５は前記フォーカス操作環１１にネジ１１１によって連結されており、両者は光軸回りに一体的に回動可能とされている。前記レンズ支持枠１４の外周面の一部にはカムローラ１４１が外径方向に突出形成されており、このカムローハ１４１は固定筒１２に設けたスリット１２２を通して前記フォーカスカム環１５のカム溝１５１内に内挿されている。そのため、フォーカス操作環１１を回動操作するとフォーカスカム環１５が一体的に回動され、カム溝１５１内に内挿されているカムローラ１４１が光軸方向に移動され、これと一体のレンズ支持枠１４及びこれに支持されている可動レンズＬ１が光軸方向に移動してフォーカス調整が行われる。
【００１３】
前記フード取付環１３は本発明におけるレンズ鏡筒１の先端部として構成されるものであり、略円板状をしたフランジ部１３１と、このフランジ部１３１の外径部から光軸方向前方に延びる短筒状をしたスリーブ部１３２とで断面形状がＬ字型に形成され、前記スリーブ部１３２の先端は前記フォーカス操作環１１よりも前方に突出されており、その内周面にはレンズフィルタスクリュー溝１３３が形成されている。また、このレンズフィルタスクリュー溝１３３よりも後方位置の前記スリーブ部１３２の内周面には前記フランジ部１３１の前面との間に微小の間隙をおいて円周上の直径方向に対向する２つの領域にそれぞれ内径方向に向けて突出された内バヨネット片１３４が形成されている。また、前記フランジ部１３１の前記内バヨネット片１３４が形成されている２つの領域には光軸方向に小径の貫通穴１３５が開けられており、この貫通穴１３５内にそれぞれ同一寸法の２つのクリックボール１３６が光軸方向に並んで内挿されている。貫通穴１３５はフランジ部１３１の前面に開口する窓１３５ａを有しており、この窓１３５ａの径寸法はクリックボール１３６よりも小径であり、クリックボール１３６の球面の一部のみが突出されるようになっている。また、前記各２つのクリックボール１３６のうち後側のクリックボールの後面に密接するように円環状をして光軸方向に湾曲された弾性板１３７が図には表れないネジによりフランジ部１３１の後面に取着され、クリックボール１３６に密接して光軸方向前方に向けて付勢している。そのため、クリックボール１３６は貫通穴１３５の窓１３５ａから球面の一部を弾性的に突出した状態に保されている。
【００１４】
前記レンズフード２は、円形をした正面部２２の中央に撮影画面に対応して横長の矩形をした前記開口窓２１が開口されており、この開口窓２１の周辺領域の正面部２２はは中央部に向かって後方に向けて幾分傾いた傾斜面として形成されている。また、肉厚に形成されたレンズフード２の周縁部２３には、円周上の直径方向に対向する２つの領域において光軸方向に沿って薄肉に突出された突出部２４を有している。これらの突出部２４は前記フード取付環１３のスリーブ部１３２の内径よりも微小寸法だけ小さい外径寸法とされ、この突出部２４の後端縁には外径方向に突出した外バヨネット片２５が一体に設けられている。また、各外バヨネット片２５が設けられている領域の各突出部２４の後端縁には光軸方向前方に切り込まれた微小なＶ溝２６が形成されている。また、前記周縁部２３の内周面には図には表れないフードフィルタが螺合可能なフードフィルタスクリュー溝２７が形成されている。
【００１５】
前記レンズキャップ３は前記フード取付環１３の外径寸法よりも若干大きな内径の有底の短円筒状容器状に形成されており、その内底面と内周面にはそれぞれ羅紗（ラシャ）布３１が貼り付けられている。この羅紗布３１は緩衝材として機能するとともに、内周面に羅紗布を貼り付けることによりレンズキャップ３の内径寸法を前記フード取付環１３の外径寸法、さらに言えばレンズフード２の外径寸法よりも若干小さくするために用いられる。また、前記レンズキャップ３は後述するようにレンズ鏡筒１にレンズフード２を取り付けた状態でも前記フード取付環１３への取り付けができるように前記レンズフード２の周縁部の光軸方向の長さよりも若干長い筒長に形成されている。
【００１６】
以上の構成によれば、レンズ鏡筒１にレンズフード２を取り付けていないときには、図３の要部断面図に示すように、フード取付環１３に対して直接レンズキャップ３を取着する。レンズキャップ３は内周面に貼り付けられた羅紗布３１の内径がフード取付環１３の外径よりも若干小さいため、羅紗布３１が厚さ方向、すなわち径方向に若干変形されながらフード取付環１３の先端部に外側から嵌合する。このとき羅紗布３１の摩擦係数によってフード取付環１３の外周面に摩擦係合し、レンズキャップ３の脱落が防止される。この状態のとき、レンズフィルタを装着する必要が生じた場合には、図４の要部断面図に示すように、フード取付環１３の先端部の内周面に設けられたレンズフィルタスクリュー溝１３３を利用して所望のレンズフィルタ４の円形枠４１に設けられたスクリュー溝４２を螺合させることで装着が可能である。レンズフィルタ４の円形枠４１はフード取付環１３の先端部の内径寸法に対応した外径寸法に形成され、その内部に偏光フィルタやカットフィルタ等が設けられた種々のフィルタとして構成されているものであることは言うまでもない。
【００１７】
一方、レンズ鏡筒１にレンズフード２を取り付けるときには、図５の要部断面図に示すように、図４で示したレンズキャップ３及びレンズフィルタ４を取り外した状態でレンズフード２の突出部２４をフード取付環１３内に挿入し、バヨネット構造において取り付ける。すなわち、レンズフード２の突出部２４がフード取付環１３に設けられた内バヨネット片１３４と衝突しないように、図１の場合には突出部２４が水平左右方向に向けた状態となるようにレンズフード２を光軸回りに回動させて挿入を行う。これによりレンズフード２の突出部２４に設けた外バヨネット片２５はフード取付環１３のフランジ部１３１の前面に当接される。この状態でレンズフード２を光軸回りにほぼ９０°回動すると、レンズフード２の外バヨネット片２５はフード取付環１３のフランジ部１３１の前面と内バヨネット片１３４との間の隙間に嵌入されて行き、この隙間内において両バヨネット片２５，１３４が係合し、両者間での摩擦係合力によってレンズフード２はフード取付環１３に保持され、レンズ鏡筒への取付が実現される。
【００１８】
このとき、レンズフード２の外バヨネット片２５がフード取付環１３に設けられた貫通穴１３５の窓１３５ａを回動通過する際には、クリックボール１３６は弾性板１３７を撓ませながら貫通穴１３５内に後退されるため、当該外バヨネット片２５の回動通過は可能である。そして、レンズフード２が所定の取付位置まで回動され、レンズフード２の突出部２４に設けられたＶ溝２６がフード取付環１３の窓１３５ａに対向位置されると、クリックボール１３６は弾性板１３７の弾力によって窓１３５ａから突出し、その突出した球面の一部がＶ溝２６に嵌合する。これにより、レンズフード２は当該回動位置に安定に保持されるとともに、レンズフード２を取り付ける際のクリック感が得られることになり、カメラの利用者はレンズフードが所定位置に取り付けられたことを認識することができる。なお、レンズフード２を取り外す際にはレンズフード２を反対方向に回動し、両バヨネット片２５，１３４の係合を解除することでレンズフード２をフード取付環１３内から光軸方向前方に引き出すことができる。このとき、レンズフード２のＶ溝２６はクリックボール１３６を乗り越えるため取り外しの障害になることはない。
【００１９】
このレンズフード２を取り付けた状態でレンズキャップ３を取着すると、図５の要部断面図に示したように、レンズキャップ３はレンズフード２及びフード取付環１３に対して取着される。レンズキャップ３の内周面の羅紗布３１の内径はレンズフード２の外径よりも若干小さいため、羅紗布３１は径方向に若干変形されながらレンズフード２を覆うように外側から嵌合する。このとき羅紗布３１による摩擦係数によってレンズフード２の外周面とフード取付環１３の外周面に摩擦係合し、レンズキャップ３の脱落が防止されることは言うまでもない。なお、この場合にはレンズキャップ３はレンズフード２に対してのみ嵌合するように構成してもよく、レンズキャップ３の光軸方向の長さを短くすることが可能である。また、このとき、フードフィルタを装着する必要が生じた場合には、図６の要部断面図に示すように、レンズフード２の内周面に設けられているフードフィルタスクリュー溝２７を利用して所定のフードフィルタ５を螺合することで装着が可能である。フードフィルタ５の構成は前記したレンズフィルタ４と同様な構成であるが、円形枠５１の形状や外径寸法がレンズフード２の内径寸法に対応する寸法に形成され、かつ円形枠５１にはフードフィルタスクリュー溝２７に螺合するスクリュー溝５２が形成されているものである。
【００２０】
このように、実施例の構造では、レンズ鏡筒１にレンズフード２を取り付けるためにフード取付環１３に設けられている内バヨネット片１３４はフード取付環１３の内周面に設けられているので、当該内バヨネット片１３４はレンズ鏡筒１の外部に露呈されることはなく、レンズ鏡筒１の外観上の見栄えを改善する上で有効である。また、レンズフード２はフード取付環１３とほぼ同じ外径であるので、レンズ鏡筒１にレンズフード２を取り付けた状態でもレンズ鏡筒の径寸法が増大することはなく、同じサイズのレンズキャップ３を取着することが可能である。したがって、レンズに附属の標準のレンズキャップをレンズフードを取り付けたときにも取着することができ、部品点数が増大することもない。
【００２１】
実施例においてレンズフード２の開口窓２１は上下対称の形状であり、フード取付環１３に設けた内バヨネット片１３４とレンズフード２に設けた外バヨネット片２５はそれぞれ直径方向に対向する２つの円周領域に設けているので、レンズフード２をレンズ鏡筒１に取り付ける際にはレンズフード２の上下方向は１８０°反対向きに取り付けることも可能であり、レンズフード２の取付作業を容易化する上で有利である。また、本発明はこの構成に限られるものではなく、レンズフード２の取付方向が特定できる構造であれば、実施例の数以外のバヨネット片で構成してもよい。また、クリック感を得るこめのクリックボール１３６は光軸方向の長さを稼ぐために２つを光軸方向に並べているが、１つのクリックボールで構成することも可能である。
【００２２】
本発明において対象となるレンズ補助部品は実施例のレンズフードに限られるものではなく、レンズ鏡筒の先端部に装着することが可能な特殊レンズやその他の光学部品を取り付ける場合にも実施例と同様にして適用することが可能である。また、本発明は実施例の構成のレンズ鏡筒に限られるものではなく、本発明における先端部としてフード取付環、あるいはこれと同等の環部品を備えるレンズ鏡筒であれば適用可能である。
【図面の簡単な説明】
【００２３】
【図１】実施例の一部を分解した要部の斜視図である。
【図２】実施例のレンズ鏡筒の一部とレンズフード、レンズキャップの各一部の拡大断面図である。
【図３】レンズ鏡筒にレンズキャップを取着した状態の断面図である。
【図４】レンズ鏡筒にレンズフィルタとレンズキャップを取着した状態の断面図である。
【図５】レンズ鏡筒にレンズフードとレンズキャップを取着した状態の断面図である。
【図６】レンズ鏡筒にレンズフードとレンズキャップとフードフィルタを取着した状態の断面図である。
【符号の説明】
【００２４】
１  レンズ鏡筒
２  レンズフード
３  レンズキャップ
１１  フォーカス操作環
１２  固定筒
１３  フード取付環
１４  レンズ支持枠
１５  フォーカスカム環
２１  開口窓
２４  突出部
２５  外バヨネット片
２６  Ｖ溝
３１  羅紗布
１３３  レンズフィルタスクリュー溝
１３４  内バヨネット片
１３５  貫通穴
１３６  クリックボール
１３７  弾性板
Ｌ１  固定レンズ
Ｌ２  可動レンズ
【図１】
2008003344.tif 000003
【図２】
2008003344.tif 000004
【図３】
2008003344.tif 000005
【図４】
2008003344.tif 000006
【図５】
2008003344.tif 000007
【図６】
2008003344.tif 000008